(57)【特許請求の範囲】
【請求項１】
犬を抱いて爪を切る際に、犬の前足を固定するための補助具であって、犬の背を覆って逆Ｕ字状に屈曲する本体と、この本体のＵ字状の両端部が延長され犬の前肢の少なくとも肘よりも下の部分に沿って位置し前記下の部分と共に、人の手で把持される把持部と、を有することを特長とする犬の爪切補助具。
【請求項２】
犬を抱いて爪を切る際に、犬の後足を固定するための補助具であって、犬の背を覆って逆Ｕ字状に屈曲する本体と、この本体のＵ字状の両端部が延長され犬の後肢の少なくとも膝よりも下の部分に沿って位置し前記下の部分と共に、人の手で把持される把持部と、を有することを特長とする犬の爪切補助具。
【請求項３】
犬を抱いて爪を切る際に、犬の前足または後足を固定するための補助具であって、請求項１に記載の犬の爪切補助具と請求項２に記載の犬の爪切補助具とが、それぞれの本体のＵ字状の中央部において、犬の背に沿って形成される連続部を介して一体的に連続していることを特長とする犬の爪切補助具。
【発明の詳細な説明】
【技術分野】
【０００１】
この発明は、犬の爪を切る際に、犬が動かないように固定するための補助具の構造に関する。
【背景技術】
【０００２】
ペットショップなどでは、犬の爪を切る際に、犬が動かないようにするために、犬を抱く抱き役と、犬の足を把持して爪を切る切り役との２人組で作業を行なう。抱き役は、一方の手で犬を抱き、他方の手で犬の肢を把持して固定する。しかし、犬の前後肢を蹴り上げる力は強く、前肢の場合には、肩関節や肘関節の動きを制することは難しい。同様に、後肢の場合には、大腿の関節や膝関節の動きを制することは難しい。このため、犬の爪を切る作業は重労働である。
【０００３】
また、特許文献１には、犬の爪を切るために、テーブルに４個の穴を空け、そこに犬の４肢を入れ、テーブルの下に露出した脚を固定するものが開示される。
また、特許文献２には、猫の爪を切るために、袋に猫を入れ、袋に空けた穴から猫の脚を出させて、脚を固定し易くするものが開示される。
【先行技術文献】
【特許文献】
【０００４】
【特許文献１】特開２０００-３２４９７４
【特許文献２】実登３１１８２６９
【発明の概要】
【発明が解決しようとする課題】
【０００５】
しかしながら、特許文献１では、作業員はテーブルの下にもぐって不自然な姿勢で爪を切らなければならない。また、肩関節や、腰と大腿の関節の動きは抑えられても、肘関節や膝関節の動きは抑えられず、脚を十分には固定できない。
また、特許文献２では、猫の場合には一定の効果があるとしても、犬の場合には体も大きく力も強いので、十分に固定するには無理がある。
この発明は、以上の問題点を解決するために、作業員が自然な姿勢で犬の爪を切ることができ、十分に犬の足を固定できる犬の爪切補助具を提供することを目的とする。
【課題を解決するための手段】
【０００６】
以上の課題を解決するために、第一発明は、犬を抱いて爪を切る際に、犬の前足を固定するための補助具であって、犬の背を覆って逆Ｕ字状に屈曲する本体と、この本体のＵ字状の両端部が延長され犬の前肢の少なくとも肘よりも下の部分に沿って位置し前記下の部分と共に把持される把持部と、を有することを特長とする犬の爪切補助具である。
【０００７】
第二発明は、犬を抱いて爪を切る際に、犬の後足を固定するための補助具であって、犬の背を覆って逆Ｕ字状に屈曲する本体と、この本体のＵ字状の両端部が延長され犬の後肢の少なくとも膝よりも下の部分に沿って位置し前記下の部分と共に把持される把持部と、を有することを特長とする犬の爪切補助具である。
【０００８】
第三発明は、犬を抱いて爪を切る際に、犬の前足または後足を固定するための補助具であって、第一発明の犬の爪切補助具と第二発明の犬の爪切補助具とが、それぞれの本体のＵ字状の中央部において、犬の背に沿って形成される連続部を介して一体的に連続していることを特長とする犬の爪切補助具である。
【発明の効果】
【０００９】
第一、又は第三発明によれば、犬の爪を切る作業を、犬が動かないようにするために、犬を抱く抱き役と、犬の足の爪を実際に切る切り役との２人組で行なう。まず、この犬の爪切補助具を、犬の背を覆って被せる。そして、抱き役は、この補助具と共に犬を抱きかかえ、この補助具の把持部を、犬の前肢の少なくとも肘よりも下の部分と共に把持する。このようにして固定された犬の足の爪を、切り役が切る。
【００１０】
これにより、抱き役と切り役は、自然な姿勢で犬の爪を切ることができる。また、抱き役は手で、補助具の把持部を、犬の前肢の少なくとも肘よりも下の部分と共に把持することにより、腕に力を入れなくても、犬の肩関節や肘関節の動きを補助具の本体によって支え抑えられる。よって、小さな力で、十分に犬の足を固定できる。
【００１１】
第二発明によれば、同様に、犬の爪を切る作業を、犬が動かないようにするために、犬を抱く抱き役と、犬の足の爪を実際に切る切り役との２人組で行なう。まず、この犬の爪切補助具を、犬の背を覆って被せる。そして、抱き役は、この補助具と共に犬を抱きかかえ、この補助具の把持部を、犬の後肢の少なくとも膝よりも下の部分部分と共に把持する。このようにして固定された犬の足の爪を、切り役が切る。
【００１２】
これにより、抱き役と切り役は、自然な姿勢で犬の爪を切ることができる。また、抱き役は手で、補助具の把持部を、犬の後肢の少なくとも膝よりも下の部分と共に把持することにより、腕に力を入れなくても、犬の肩関節や肘関節の動きを補助具の本体によって支え抑えられる。よって、小さな力で、十分に犬の足を固定できる。
【図面の簡単な説明】
【００１３】
【図１】この発明の第一実施形態に係る犬の爪切補助具の使用状態を示すもので、（Ａ）は爪切補助具を犬の背へ覆って被せるた状態の側面図、（Ｂ）は（Ａ）の状態の犬を抱く抱き役と、犬の足の爪を実際に切る切り役との２人組で爪切作業を行なう図である。
【図２】図１（Ｂ）のＩＩ方向から見た図である。
【図３】図１の犬の爪切補助具を示すもので、（Ａ）は斜視図、（Ｂ）は（Ａ）の側面図、（Ｃ）は（Ａ）の正面図、（Ｄ）は（Ｃ）の平面図である。
【図４】この発明の第二実施形態に係る犬の爪切補助具の使用状態を示すもので、（Ａ）は爪切補助具を犬の背へ覆って被せるた状態の側面図、（Ｂ）は、（Ａ）の状態の犬を抱く抱き役と、犬の足の爪を実際に切る切り役との２人組で爪切作業を行なう図、（Ｃ）は、（Ａ）の犬の爪切補助具を示す側面図である。
【図５】この発明の第三実施形態に係る犬の爪切補助具の使用状態を示すもので、（Ａ）は爪切補助具を犬の背へ覆って被せるた状態の側面図、（Ｂ）は、（Ａ）の犬の爪切補助具を示す側面図である。
【発明を実施するための形態】
【００１４】
この発明の第一実施形態を、図１〜図３に示す。
この実施形態の犬の爪切補助具１は、犬３を抱いて爪を切る際に、犬３の前足を固定するための補助具である。補助具は、厚さ１ｍｍのステンレス板製であり、犬３の背を覆って密着するように、逆Ｕ字状に屈曲する本体５を有する。この逆Ｕ字状の湾曲部分は半円形のトンネル状をなす。この本体５の逆Ｕ字状の両端部７が前方の下方へ延長され、下端に把持部９が形成される。
【００１５】
犬３の前肢において、足１１には裏側に爪と拇指球があり、その上には人の手の甲に相当する前繋１３があり、さらにその上には踝に相当する手根関節１５がある。手根関節１５の上に下腕部分１７を経て肘関節１９があり、その上に上腕部分２１を経て肩関節２３がある。
【００１６】
この実施形態では、補助具の両端部７が下方へ延長され、この延長部分は、犬３の肩関節２３、上腕部分２１、肘関節１９、下腕部分１７、手根関節１５、及び前繋１３に沿って延び、この前繋１３に沿って把持部９が位置する。
「実施形態の効果」
犬３の爪を切る作業は、犬３が動かないようにするために、犬３を抱く抱き役Ｈと、犬３の足１１の爪を実際に切る切り役Ｃとの２人組で行なう。
図１（Ａ）に示すように、まず、この犬３の爪切補助具１を、犬３の背を覆って被せる。そして、図１（Ｂ）に示すように、抱き役Ｈは、この補助具と共に犬３を抱きかかえ、この補助具の把持部９を、犬３の前肢の肘よりも下の部分にある前繋１３と共に把持する。このようにして固定された犬３の足１１を、図１（Ｂ）、図２に示すように、切り役Ｃが把持し、刃物Ｔで爪Ｎを切る。
【００１７】
これにより、抱き役Ｈと切り役Ｃは、自然な姿勢、すなわち立ったり座ったりした姿勢で犬３の爪を切ることができる。また、抱き役Ｈは手で、補助具の把持部９を、犬３の前肢の前繋１３と共に把持することにより、手には力を入れるものの、腕に力を入れなくても、犬３の肩関節２３や肘関節１９の動きを補助具の本体５によって支え、抑えられる。
【００１８】
従来は、犬３の足１１を中空の一定の位置に固定して支えるために、抱き役Ｈは手だけではなく腕や体全体にも大きな力を込めなければならなかったが、この実施形態では、抱き役Ｈは、把持部９を犬３の前繋１３と共に手で把持すればよく、よって、小さな力で、十分に犬３の足１１を固定できる。爪切作業が楽にできるために、従来のように、深爪やひどい場合には出血を起こしてしまうなどの失敗を無くすことができる。また、楽にできるために、ペットショップに頼まなくても、飼い主自身が爪切作業をすることができるようになる。  
「他の実施形態」
以上の実施形態では、犬３の爪切補助具１は犬３の前肢の爪を切るものであったが、他の実施形態では、図４に示すように、後肢の爪を切るものでもよい。
【００１９】
この第二実施形態の犬３の爪切補助具１は、犬３を抱いて爪を切る際に、犬３の後足を固定するための補助具である。補助具は、本体５の逆Ｕ字状の両端部７が後方の下方へ延長され、下端に把持部９が形成される。
犬３の後肢において、足１１には裏側に爪と拇指球があり、その上には人の手の甲に相当する後繋２５があり、さらにその上には踵に相当する飛端２７（または飛節ともいう）がある。飛端２７の上に脛部分２９を経て膝関節３１があり、その上に大腿部分３２を経て大腿の関節３３がある。
【００２０】
この実施形態では、補助具の両端部７が下方へ延長され、この延長部分は、大腿の関節３３、大腿部分、膝関節３１、脛部分２９、飛端２７、及び後繋２５に沿って延び、この後繋２５に沿って把持部９が位置する。
なお、この第二実施形態の犬３の爪切補助具１は、第一実施形態の犬３の爪切補助具１を前後逆向きにして、使用するものでもよい。
この第二実施形態によれば、前記第一実施形態とほぼ同様に、抱き役Ｈは、この補助具と共に犬３を抱きかかえ、この補助具の把持部９を、犬３の前肢の膝よりも下の部分にある後繋２５と共に把持する。このようにして固定された犬３の足１１を、切り役Ｃが把持し、爪を切る。これにより、前記第一実施形態とほぼ同様の効果を得る。
【００２１】
以上の実施形態では、犬３の爪切補助具１は犬３の前肢または後肢の爪を切るものであったが、他の実施形態では、図５に示す第三実施形態のように、これらの二つの補助具を一体化して一つの補助具とし、これにより、抱え役は同じ姿勢を保ったまま前肢と後肢の爪を切るものでもよい。
【００２２】
すなわち図１（Ａ）と図４（Ａ）の補助具を、図５のように、それぞれの本体５のＵ字状の中央部において、犬３の背に沿って形成される連続部３５を介して連続して、一体化する。抱え役は、前肢と後肢とで図１（Ａ）と図４（Ａ）の補助具を使い分ける必要がなく、同じ姿勢を保ったままで、前肢と後肢の爪を切る作業ができる。
【符号の説明】
【００２３】
１…補助具、３…犬、５…本体、７…両端部、９…把持部、１１…足、１３…前繋、１５…手根関節、１７…下腕部分、１９…肘関節、２１…上腕部分、２３…肩関節、２５…後繋、２７…飛端、２９…脛部分、３１…膝関節、３３…大腿の関節、３５…連続部。
【要約】
【課題】作業員が自然な姿勢で犬の爪を切ることができ、十分に犬の足を固定できる犬の爪切補助具を提供する。
【解決手段】犬３の爪を切る作業を、犬３が動かないようにするために、犬３を抱く抱き役Ｈと、犬３の足１１の爪を実際に切る切り役Ｃとの２人組で行なう。まず、この犬３の爪切補助具１を、犬３の背を覆って被せる。そして、抱き役Ｈは、この補助具１と共に犬３を抱きかかえ、この補助具１のＵ字状の両端部７が延長されて形成された把持部９を、犬３の前肢または後肢の少なくとも肘や膝よりも下の部分と共に把持する。このようにして犬３の足１１が固定される。そして、固定された犬３の足１１の爪を、切り役Ｃが、切る。
【選択図】図１【図１】
0004782890.tif 000002
【図２】
0004782890.tif 000003
【図３】
0004782890.tif 000004
【図４】
0004782890.tif 000005
【図５】
0004782890.tif 000006